(57)【要約】【課題】簡単かつ容易に、しかも能率よく組み立てして、組み立てコストを低減する。【解決手段】充電台は、携帯機器３０の装着部２を有するケース１と、端子部３ａを有する一対のスプリング線３と、各々のスプリング線３を連結すると共に、一端部の突出部４Ａが押されて各々のスプリング線３の端子部３ａを装着部２に突出させる傾動体４と、傾動体４とスプリング線３を連結してなるユニット台５とを備える。ケース１は、スプリング線３の端子部３ａを突出させる電極窓８と、傾動体４の突出部４Ａを突出させる貫通孔９を開口している。スプリング線３が端子部３ａを装着部２に突出させるようにユニット台５に連結され、傾動体４が突出部４Ａを装着部２に突出させるように傾動自在にユニット台５に連結されて接点ユニット１０を構成している。接点ユニット１０のユニット台５をケース１に固定して、スプリング線３と傾動体４をケース１の定位置に連結している。【選択図】図８
2010045882.tif 000002
【特許請求の範囲】
【請求項１】
充電できる電池を内蔵する携帯機器(30)、(80)を嵌合状態で脱着できるようにセットする装着部(2)、(52)、(102)を有するケース(1)、(51)、(101)と、
このケース(1)、(51)、(101)内に設けられて、装着部(2)、(52)、(102)にセットされる携帯機器(30)、(80)の電源端子(31)、(81)に接触される端子部(3a)、(53a)、(103a)を有する一対のスプリング線(3)、(53)、(103)と、
各々のスプリング線(3)、(53)、(103)を連結しており、かつ一端部には装着部(2)、(52)、(102)に装着される携帯機器(30)、(80)に押される突出部(4A)、(54A)、(104A)を有し、この突出部(4A)、(54A)、(104A)が装着部(2)、(52)、(102)にセットされる携帯機器(30)、(80)に押されて各々のスプリング線(3)、(53)、(103)の端子部(3a)、(53a)、(103a)を装着部(2)、(52)、(102)に突出させる傾動体(4)、(54)、(104)と、
この傾動体(4)、(54)、(104)と前記スプリング線(3)、(53)、(103)を連結してなるユニット台(5)、(55)、(105)とを備え、
前記ケース(1)、(51)、(101)は、スプリング線(3)、(53)、(103)の端子部(3a)、(53a)、(103a)を装着部(2)、(52)、(102)に突出させる電極窓(8)、(58)、(108)と、前記傾動体(4)、(54)、(104)の突出部(4A)、(54A)、(104A)を弾性的に突出させる貫通孔(9)、(59)、(109)とを開口しており、
前記スプリング線(3)、(53)、(103)が端子部(3a)、(53a)、(103a)を弾性的に装着部(2)、(52)、(102)に突出させるようにユニット台(5)、(55)、(105)に連結され、前記傾動体(4)、(54)、(104)が突出部(4A)、(54A)、(104A)をケース(1)、(51)、(101)の貫通孔(9)、(59)、(109)から装着部(2)、(52)、(102)に突出させるように傾動自在にユニット台(5)、(55)、(105)に連結されて、スプリング線(3)、(53)、(103)と傾動体(4)、(54)、(104)とユニット台(5)、(55)、(105)とが互いに連結された接点ユニット(10)、(60)、(110)を構成し、
この接点ユニット(10)、(60)、(110)のユニット台(5)、(55)、(105)がケース(1)、(51)、(101)に固定されて、前記スプリング線(3)、(53)、(103)と傾動体(4)、(54)、(104)とがケース(1)、(51)、(101)の定位置に連結されてなる充電台。
【請求項２】
前記傾動体(4)、(54)、(104)が、ユニット台(5)、(55)、(105)に連結される傾動軸(4B)、(54B)、(104B)を両側に突出して設けており、この傾動軸(4B)、(54B)、(104B)をユニット台(5)、(55)、(105)に回転自在に連結して傾動できるように連結している請求項１に記載される充電台。
【請求項３】
前記ユニット台(5)、(55)、(105)が、傾動体(4)、(54)、(104)の傾動軸(4B)、(54B)、(104B)を案内して回転自在に連結するＵ溝(15)、(65)、(115)を有し、このＵ溝(15)、(65)、(115)の開口部に傾動軸(4B)、(54B)、(104B)の抜け止め突出部(16)、(66)、(116)を設けて係止状態で連結している請求項２に記載される充電台。
【請求項４】
前記ユニット台(5)、(55)、(105)が、傾動体(4)、(54)、(104)の傾動軸(4B)、(54B)、(104B)を案内して回転自在に連結するＵ溝(15)、(65)、(115)を有し、このＵ溝(15)、(65)、(115)の開口部を、ユニット台(5)、(55)、(105)を固定しているケース(1)、(51)、(101)の内面で閉塞して傾動軸(4B)、(54B)、(104B)をユニット台(5)、(55)、(105)のＵ溝(15)、(65)、(115)から抜けないようにしてなる請求項２に記載される充電台。
【請求項５】
前記一対のスプリング線(3)を連結してなる一対の傾動アーム(6)を備えており、この傾動アーム(6)は傾動体(4)に連結され、突出部(4A)が装着部(2)から押し込まれるように傾動体(4)が傾動されて、傾動アーム(6)が傾動されてスプリング線(3)の端子部(3a)を装着部(2)に突出させるようにしてなる請求項１に記載される充電台。
【発明の詳細な説明】
【技術分野】
【０００１】
本発明は、主として携帯電話などの携帯機器をセットして充電する充電台に関する。
【背景技術】
【０００２】
充電台は、装着される携帯機器の電源端子に接触される正負の出力端子部を備えている。正負の出力端子部に金属が接触してショートすると、大きなショート電流が流れる。また、正負の出力端子部の電圧が高い場合には、濡れた手で接触すると感電する可能性もある。また、電圧が低い場合でも、長時間接触すると低温やけどを被るおそれがある。この弊害を解消するために、携帯機器を装着しない状態では、出力端子部をケース内に収納する充電台が開発されている（特許文献１参照）。
【特許文献１】特開２００３−９４０９号公報
【発明の開示】
【発明が解決しようとする課題】
【０００３】
この公報に記載される充電台を図１ないし図５に示す。この充電台は、携帯機器９９を嵌合して装着する凹状の装着部９２を有するケース９１と、装着部９２に携帯機器９９が装着されたことを検知する装着検知部９０と、携帯機器９９が装着部９２に装着されたとき、携帯機器９９に設けられた電源端子９９Ａと接触し、携帯機器９９に内蔵される二次電池に充電電圧を印加するための一対の出力端子部９３Ａを備える。出力端子部９３Ａは、ケース９１内に配設されて、ケース９１に設けられた端子窓９５から装着部９２に突出するように設けられている。装着検知部９０は、ケース９１内に軸支され、一端の突出部９７が装着部９２の底面に設けられた貫通孔９６を貫通して突出する傾動体９４と、傾動体９４の突出部９７を突出方向に付勢するスプリング線９３とを備える。携帯機器９９が装着され、傾動体９４の一端がスプリング線９３の付勢力に抗して押し下げられたとき、傾動体９４の回転に連動して出力端子部９３Ａを端子窓９５から装着部９２に押し出して、携帯機器９９の電源端子９９Ａと接触させる。
【０００４】
この充電台は、装着検知部９０の傾動体９４を傾動できるようにケース９１の定位置に連結すると共に、スプリング線９３を傾動体９４とケース９１の特定の位置と姿勢に連結して、ケース９１に組み込むので、組み立てに手間がかかる欠点がある。また、この構造の充電台は、傾動体９４とスプリング線９３とケース９１とを別々に分離して製作してケース９１の特定の位置と姿勢に組み込んで組み立てするので、組み立てられた状態で、部品相互の相対位置の公差が大きくなる欠点がある。組み立ての公差は、携帯機器の充電エラーやスムーズなセットを阻害する原因となるので、スプリング線や傾動体の位置を微調整して正確な位置に配置するのにさらに手間がかかる欠点がある。また、軸支される部材、嵌合される部材等においては、嵌め合い寸法等の調整も手間がかかる。
【０００５】
本発明は、このような欠点を解決することを目的に開発されたものである。本発明の重要な目的は、簡単かつ容易に、しかも能率よく組み立てして組み立てコストを低減しながら、スプリング線と傾動体の相対位置の公差を少なくして組み立てできる充電台を提供することにある。
また、本発明の他の大切な目的は、セットされる携帯機器を安定して充電できると共に、スムーズに脱着して便利に使用できる充電台を提供することにある。
さらにまた、本発明の他の大切な目的は、スプリング線や傾動体の組み立て位置の微調整を少なくして、信頼性を向上でき、機種変更による開発日程と開発コストを低減できる充電台を提供することにある。
【課題を解決するための手段及び発明の効果】
【０００６】
本発明の充電台は、前述の目的を達成するために以下の構成を備える。
充電台は、充電できる電池を内蔵する携帯機器３０、８０を嵌合状態で脱着できるように装着する装着部２、５２、１０２を有するケース１、５１、１０１と、このケース１、５１、１０１内に設けられて、装着部２、５２、１０２にセットされる携帯機器３０、８０の電源端子３１、８１に接触される端子部３ａ、５３ａ、１０３ａを有する一対のスプリング線３、５３、１０３と、各々のスプリング線３、５３、１０３を連結して、一端部には装着部２、５２、１０２に装着される携帯機器３０、８０に押される突出部４Ａ、５４Ａ、１０４Ａを有し、この突出部４Ａ、５４Ａ、１０４Ａが押されて各々のスプリング線３、５３、１０３の端子部３ａ、５３ａ、１０３ａを装着部２、５２、１０２に突出させる傾動体４、５４、１０４と、この傾動体４、５４、１０４とスプリング線３、５３、１０３を連結してなるユニット台５、５５、１０５とを備える。ケース１、５１、１０１は、スプリング線３、５３、１０３の端子部３ａ、５３ａ、１０３ａを装着部２、５２、１０２に突出させる電極窓８、５８、１０８と、傾動体４、５４、１０４の突出部４Ａ、５４Ａ、１０４Ａを弾性的に突出させる貫通孔９、５９、１０９とを開口している。スプリング線３、５３、１０３が端子部３ａ、５３ａ、１０３ａを弾性的に装着部２、５２、１０２に突出させるようにユニット台５、５５、１０５に連結され、傾動体４、５４、１０４が突出部４Ａ、５４Ａ、１０４Ａをケース１、５１、１０１の貫通孔９、５９、１０９から装着部２、５２、１０２に突出させるように傾動自在にユニット台５、５５、１０５に連結されて、スプリング線３、５３、１０３と傾動体４、５４、１０４とユニット台５、５５、１０５とが互いに連結された接点ユニット１０、６０、１１０を構成している。この接点ユニット１０、６０、１１０のユニット台５、５５、１０５がケース１、５１、１０１に固定されて、スプリング線３、５３、１０３と傾動体４、５４、１０４とがケース１、５１、１０１の定位置に連結されている。
【０００７】
以上の充電台は、簡単かつ容易に、しかも能率よく組み立てして組み立てコストを低減しながら、スプリング線と傾動体の相対位置の公差を少なくして組み立てできる特徴がある。それは、以上の充電台が、スプリング線と傾動体をユニット台に連結して接点ユニットとし、この接点ユニットをケースに固定して、スプリング線と傾動体とをケースの定位置に連結しているからである。
また、以上の充電台は、セットされる携帯機器を安定して充電できると共に、スムーズに脱着して便利に使用できる特徴もある。安定して確実に携帯機器の電池を充電できるのは、接点ユニットとしてケースに固定することにより、端子部を携帯機器の電源端子に確実に電気接続することで実現される。
以上の充電台は、スプリング線や傾動体の組み立て位置の微調整を少なくして、信頼性を向上でき、機種変更による開発日程と開発コストを低減できる特徴もある。それは、スプリング線と傾動体とをユニット台に連結して接点ユニットとし、接点ユニットをケースに固定して端子部と突出部とをケースの定位置に配置するからである。
また、このように調整した接点ユニットを共通化することにより、充電器のケースを異なる形状にするだけで、種々の充電台として、設計、製造することができる。よって、接点ユニットについて、組み立て位置の微調整、嵌め合い寸法等の調整をひとたび行うことで、別機種の異なる形状の充電台として、異なるケースに共通の接点ユニットを利用するとき、新たにこのような調整を必要としない。
【０００８】
本発明の充電台は、傾動体４、５４、１０４をユニット台５、５５、１０５に連結する傾動軸４Ｂ、５４Ｂ、１０４Ｂを傾動体４、５４、１０４の両側に突出して設けて、この傾動軸４Ｂ、５４Ｂ、１０４Ｂをユニット台５、５５、１０５に回転自在に連結して傾動できるように連結することができる。
【０００９】
本発明の充電台は、ユニット台５、５５、１０５に、傾動体４、５４、１０４の傾動軸４Ｂ、５４Ｂ、１０４Ｂを案内して回転自在に連結するＵ溝１５、６５、１１５を設けると共に、このＵ溝１５、６５、１１５の開口部に傾動軸４Ｂ、５４Ｂ、１０４Ｂの抜け止め突出部１６、６６、１１６設けて、係止状態で連結することができる。
この充電台は、接点ユニットを簡単かつ容易に、しかも能率よくケースに固定しながら、スプリング線と傾動体の両方を正確な位置に配置できる。それは、傾動体を抜けないようにユニット台に連結して接点ユニットとし、この接点ユニットをケースに固定するからである。
【００１０】
本発明の充電台は、ユニット台５、５５、１０５に、傾動体４、５４、１０４の傾動軸４Ｂ、５４Ｂ、１０４Ｂを案内して回転自在に連結するＵ溝１５、６５、１１５を設けて、このＵ溝１５、６５、１１５の開口部を、ユニット台５、５５、１０５を固定しているケース１、５１、１０１の内面で閉塞して傾動軸４Ｂ、５４Ｂ、１０４Ｂをユニット台５、５５、１０５のＵ溝１５、６５、１１５から抜けないように連結することができる。
この充電台は、ユニット台をケースに固定する状態で、傾動体を抜けないようにユニット台に保持できる特徴がある。
【００１１】
本発明の充電台は、一対のスプリング線３を、各々独立して傾動する一対の傾動アーム６に連結して、各々の傾動アーム６を傾動するように傾動体４に連結することができる。
この充電台は、傾動アームにスプリング線を連結して、この傾動アームを傾動体で傾動させるので、スプリング線を自由な位置に配置しながら、携帯機器の電源端子の正確な位置に接触できる。
【発明を実施するための最良の形態】
【００１２】
以下、本発明の実施例を図面に基づいて説明する。ただし、以下に示す実施例は、本発明の技術思想を具体化するための充電台を例示するものであって、本発明は充電台を以下のものに特定しない。
【００１３】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１４】
［第１の実施例］
図６ないし図１５に示す充電台は、充電できる電池を内蔵する携帯機器３０を脱着できるように装着して、携帯機器３０に内蔵している電池を充電する。携帯機器３０は、主として携帯電話、ゲーム器、ゲーム器のリモコンなどであるが、本発明は、内蔵する電池を充電する携帯機器を特定するものでなく、たとえば、ＭＤやＣＤの再生または録音再生機、デジタル携帯機器等の二次電池を内蔵している全ての携帯機器とすることができる。
【００１５】
充電台は、携帯機器３０を嵌合状態で脱着できるように定位置にセットできる装着部２を上面に設けているケース１と、このケース１内に設けられて、装着部２にセットされる携帯機器３０の電源端子３１に接触される端子部３ａを有する一対のスプリング線３と、装着部２に携帯機器３０がセットされる状態でスプリング線３の端子部３ａを装着部２に突出させて、電源端子３１に接触させる傾動体４と、この傾動体４とスプリング線３を連結しているユニット台５とを備える。スプリング線３と傾動体４がユニット台５に連結されて接点ユニット１０を構成している。この接点ユニット１０がケース１に固定されて、スプリング線３の端子部３ａと傾動体４の突出部４Ａはケース１の定位置に配置される。
【００１６】
さらに、充電台は、ケース１に充電回路（図示せず）を内蔵している。ただし、本発明の充電台は、ケースに必ずしも充電回路を設ける必要ない。外部に設けている充電回路にリード線を介して接続することもできるからである。充電回路を内蔵しない充電台は、外部の充電回路に接続されて、携帯機器の電池を充電する。
【００１７】
図６、図１４、及び図１５に示す充電台は、ケース１の上面に装着部２を設けている。装着部２は、ケース１の上面に設けた上方を開口している凹部である。携帯機器３０は、凹部の装着部２に嵌着、装着されて定位置にセットされる。図の装着部２は、携帯機器３０を横長の姿勢でセットする形状としている。
【００１８】
携帯機器３０は、自重で凹部の装着部２に装着される。ケース１は、図示しないが、装着部にセットした携帯機器を抜けないように引っかけて係止する係止フックを設けて、装着部にセットした携帯機器を外れないように仮固定できる。
【００１９】
ケース１は、下方を開口している上ケース１Ａと、この上ケース１Ａの下方開口部を閉塞している下ケース１Ｂとからなる。上ケース１Ａと下ケース１Ｂは、プラスチックを成形して製作される。上ケース１Ａの上面に凹部を設けて装着部２としている。上ケース１Ａは、装着部２となる凹部の底面２Ａに、ケース１に内蔵しているスプリング線３の端子部３ａを外部に突出させる端子窓８と、傾動体４の突出部４Ａを装着部２に突出させる貫通孔９を開口している。図の上ケース１Ａは、端子窓８と貫通孔９を各々２個設けている。ふたつの端子窓８は、正負の端子部３ａを装着部２に突出させる。また、ふたつの貫通孔９は、傾動体４の一端に設けている２個の突出部４Ａを装着部２に突出させる。図６と図７の充電台は、ケース１に設けている装着部２の底面２Ａに端子窓８と貫通孔９を設けて、スプリング線３の端子部３ａと、傾動体４の突出部４Ａを底面２Ａから突出させている。
【００２０】
接点ユニット１０は、ユニット台５と、これに傾動できるように連結している傾動体４と、この傾動体４で端子部３ａをケース１の装着部２に突出させるスプリング線３とで構成される。図の充電台は、スプリング線３を一対の傾動アーム６に連結し、この傾動アーム６を傾動体４に連結している。この充電台は、スプリング線３を直接には傾動体４に連結しないで、傾動アーム６を介して傾動体４に連結している。したがって、この接点ユニット１０は、傾動体４とスプリング線３に加えて、スプリング線３を連結して、傾動体４で傾動される傾動アーム６を備える。さらに、図８ないし図１２の接点ユニット１０は、傾動アーム６を弾性的に傾動させる傾動スプリング７を備える。傾動スプリング７は、スプリング線３の端子部３ａをケース１内に収納する方向、すなわち収納位置に向かって付勢する。図の接点ユニット１０は、傾動スプリング７で傾動アーム６を付勢して、収納位置に付勢するが、接点ユニットは、図示しないが、傾動スプリングを傾動体に連結して収納位置とすることもできる。
【００２１】
傾動体４は絶縁材のプラスチック製で、その中間の両側に、一対の傾動軸４Ｂを突出するように一体的に成形して設けている。一対の傾動軸４Ｂは、これを回転中心軸２９として傾動できるように、互いに直線上に配置されている。傾動軸４Ｂがユニット台５に回転できるように連結されて、傾動体４は傾動できるようにユニット台５に連結される。傾動体４は、その一端部には、上面に突出するように、ケース１の装着部２に突出するふたつの突出部４Ａを一体的に成形して設けている。傾動体４は、この突出部４Ａが携帯機器３０に押されて傾動する。傾動する傾動体４は、突出部４Ａを設けている端部と反対側の連結端４Ｃに傾動アーム６を連結している。
【００２２】
傾動アーム６は絶縁材のプラスチック製で、図の接点ユニット１０は、傾動体４の連結端４Ｃに一対の傾動アーム６を連結して、傾動体４と傾動アーム６とをＴ字状に配置している。すなわち、傾動体４の連結端４Ｃに、両側に伸びるように一対の傾動アーム６を連結して、Ｔ字状に配列している。この接点ユニット１０は、傾動体４の連結端４Ｃに連結して、傾動体４に対して直交する姿勢で、その両側に伸びるように傾動アーム６を配置している。傾動体４の連結端４Ｃは傾動アーム６の下面にあって、傾動アーム６を下から押し上げて、傾動アーム６に連結しているスプリング線３の端子部３ａを装着部２に押し上げる。傾動アーム６は、Ｔ字状の両端側、すなわち傾動軸４Ｂから離れる端部に連結軸６Ｂを設けている。図の傾動アーム６は、上面プレート６Ａの両側に沿って側壁部６Ｄを設けて、この側壁部６Ｄから外側に突出するように連結軸６Ｂを設けている。両側に突出する連結軸６Ｂは、これを回転中心軸２９として傾動できるように、互いに直線状に配置されている。連結軸６Ｂがユニット台５に回転できるように連結されて、傾動軸４Ｂは傾動できるようにユニット台５に連結される。
【００２３】
図１３の接点ユニット１０は、傾動体４と傾動アーム６とをＴ字状に配置するので、傾動体４が傾動する第１の回転中心軸２９Ｘである傾動軸４Ｂと、傾動アーム６が傾動する第２の回転中心軸２９Ｙである連結軸６Ｂとは、装着部２の底面２Ａと平行な面内にあって、かつ第１の回転中心軸２９Ｘと第２の回転中心軸２９Ｙとが互いに直交する姿勢でユニット台５に連結される。すなわち、傾動アーム６の連結軸６Ｂは、傾動体４の長手方向に平行な姿勢でユニット台５に連結される。傾動アーム６は、互いに接近する対向端部６Ｃを傾動体４に連結している。対向端部６Ｃは、傾動体４の連結端４Ｃの上面にあって、傾動体４の連結端４Ｃを弾性的に押し下げて、傾動体４の突出部４Ａを弾性的に装着部２に突出させている。
【００２４】
傾動アーム６は、スプリング線３の端子部３ａを上方に突出させるガイド穴６Ｅと、スプリング線３の引掛片３Ｃを係止する引掛部６Ｆと、後述する傾動スプリング７を連結する押圧係止部６Ｇとを設けている。引掛部６Ｆは、使用状態において上方に開口する溝型で、対向端部６Ｃと連結軸６Ｂとの間の側部に設けている。押圧係止部６Ｇは、対向端部６Ｃの反対側の端部であって、連結軸６Ｂよりも外側の端部に設けている。図１０と図１１の傾動アーム６は、外側の端部に端部壁を設けて、この端部壁の側縁の内側に突出する凸条を設けて、凸条の内側を傾動スプリング７を連結する押圧係止部６Ｇとしている。
【００２５】
この傾動アーム６は、端子部３ａを有するスプリング線３と、傾動アーム６の対向端部６Ｃを弾性的に押し下げる傾動スプリング７とを連結している。
【００２６】
傾動スプリング７は、傾動アーム６とユニット台５とに連結されて、傾動アーム６の対向端部６Ｃを弾性的に押し下げる。図１０ないし図１２に示す傾動スプリング７はコイルスプリングで、コイル部７Ｂに傾動アーム６の連結軸６Ｂを挿通して傾動アーム６に連結される。このコイルスプリングからなる傾動スプリング７は、両端の突出片７Ａを弾性的に拡開し、傾動アーム６の対向端部６Ｃを弾性的に押し下げる方向に付勢する。図１０と図１１の傾動スプリング７は、第１の突出片７Ａａをユニット台５に下方に突出するように設けている連結リブ１９に連結し、第２の突出片７Ａｂを押圧係止部６Ｇに連結している。押圧係止部６Ｇは、傾動アーム６の連結軸６Ｂよりも下側（図１２は下面から見た斜視図であるから、この図において上側）であって、連結軸６Ｂよりも外側に位置する。この傾動スプリング７は、押圧係止部６Ｇを弾性的に押圧して、傾動アーム６を図１４の矢印Ｂで示す方向に付勢して、傾動アーム６の対向端部６Ｃを押し下げる方向に付勢する。
【００２７】
スプリング線３は、導電性と弾性のある金属線で、端子部３ａを携帯機器３０の電源端子３１に弾性的に押圧して電気接続する。図１２、図１４及び図１５のスプリング線３はコイルスプリングで、コイル部３Ｂから接線方向に端子片３Ａと引掛片３Ｃとを突出させている。コイル部３Ｂは、傾動アーム６の側壁部６Ｄの内側であって、両側の連結軸６Ｂと中心軸を同軸に配設される。端子片３Ａは引掛片３Ｃよりも長く突出して、先端部を山形に折曲して端子部３ａとしている。端子片３Ａは、図１４と図１５に示すように、山形の端子部３ａをガイド穴６Ｅから上方に突出させて、端子部３ａとコイル部３Ｂの間の直線部３ｂを上面プレート６Ａの下面に配置している。端子部３ａは、ケース１の装着部２に突出している。装着部２に携帯機器３０がセットされると、携帯機器３０の電源端子３１は端子部３ａを押し下げる。端子部３ａが押し下げられると、直線部３ｂが上面プレート６Ａの下面から離れる。この状態で、スプリング線３は、コイル部３Ｂの弾性で、端子部３ａを電源端子３１に押圧する。コイル部３Ｂの弾性で端子部３ａを電源端子３１に押圧するために、スプリング線３の他方の端部の引掛片３Ｃは、傾動アーム６の引掛部６Ｆに引っ掛けられている。引掛部６Ｆは上方に開口する溝型で、上面にスプリング線３の引掛片３Ｃを係止して、端子部３ａを装着部２に弾性的に押し出す。図１２のスプリング線３は、引掛片３Ｃの端部を傾動アーム６から離れる方向に直角に折曲して折曲部をさらにＵ曲している。この構造は、Ｕ曲部を掴んで、引掛片３Ｃを簡単かつ容易に、傾動アーム６の引掛部６Ｆに案内できる。
【００２８】
ユニット台５は、図８ないし図１２に示すように、プラスチックもって、表面プレート１１の周囲に周壁１２を設けた形状に成形している。ユニット台５は、これをケース１の内面に固定して、接点ユニット１０をケース１に固定するための固定部１３を設けている。図のユニット台５は、周壁１２の外側に突出して、その対向する位置に固定部１３を設けている。
【００２９】
表面プレート１１は、傾動体４を内側に配置してその一部を上面に露出させる傾動体開口部１１Ａと、傾動アーム６を内側に配置して傾動アーム６を上面に露出させるアーム開口部１１Ｂとを設けている。傾動体開口部１１Ａは、傾動体４の傾動軸４Ｂよりも突出部４Ａ側を上面に露出させる。この傾動体開口部１１Ａは、その内側に傾動体４を配置して、傾動体４を傾動できるように、傾動体開口部１１Ａの内面と傾動体４の外側との間に隙間を設けている。さらに、図のユニット台５は、傾動体開口部１１Ａを大きくするために、表面プレート１１の周壁１２を外側に突出させる形状に成形して、周壁１２の内側に傾動体４を配置している。アーム開口部１１Ｂは、傾動アーム６を内側に配置できるように、内形を傾動アーム６の外形よりも大きくしている。すなわち、表面プレート１１は、アーム開口部１１Ｂと傾動アーム６との間に隙間を設けて、傾動アーム６を自由に傾動できるようにユニット台５に配置している。図の表面プレート１１は、傾動体開口部１１Ａとアーム開口部１１ＢとをＴ字状に配置している。
【００３０】
ユニット台５は、傾動体４の傾動軸４Ｂを連結する支持リブ１４を設けている。図１０ないし図１２のユニット台５は、表面プレート１１の内面から下方に突出して支持リブ１４を一体的に成形して設けている。この支持リブ１４は、傾動軸４Ｂを案内するＵ溝１５を設けている。図のユニット台５は、傾動体４の一方の傾動軸４Ｂを挿入して回転できるように連結する保持リブ１７を一体的に成形して設けている。保持リブ１７は上方に開口する溝型で、Ｕ溝１５に案内された傾動軸４Ｂを挿入して、回転できるように、また外れないように支持する。傾動体４の他方の傾動軸４Ｂは、Ｕ溝１５に案内されて回転できるように支持される。傾動軸４Ｂの軸方向の位置ずれを阻止するために、傾動軸４Ｂの一端と対向して対向リブ１８を、また保持リブ１７には閉塞プレート１７Ａを設けている。対向リブ１８は、保持リブ１７で支持される傾動軸４Ｂの反対側の端部に、その端部に対向して設けられる。閉塞プレート１７Ａは、保持リブ１７の傾動軸４Ｂを挿入する開口部と反対側に設けられて、傾動軸４Ｂの端部と対向して、傾動軸４Ｂの軸方向への位置ずれを阻止する。この傾動軸４Ｂは、閉塞プレート１７Ａと対向リブ１８の間に配設されて、軸方向にずれないように支持リブ１４に連結される。
【００３１】
さらに、支持リブ１４のＵ溝１５は、図１２の一部拡大図に示すように、その開口部に傾動軸４Ｂの抜け止め突出部１６を設けて係止状態で連結している。抜け止め突出部１６は、傾動軸４ＢをＵ溝１５に挿入するときに弾性変形して傾動軸４Ｂを通過させる。このユニット台５は、抜け止め突出部１６でもって、傾動軸４Ｂの一方の端部を外れないように表面プレート１１に連結できる。このため、接点ユニット１０を上ケース１Ａに連結するときに傾動体４が外れることがなく、能率よく接点ユニット１０を上ケース１Ａに連結できる。上ケース１Ａに下ケース１Ｂを連結する状態で、Ｕ溝１５の開口部は下ケース１Ｂで閉塞される。下ケース１Ｂで閉塞されるＵ溝１５は、ここに案内している傾動軸４Ｂを外れないように支持する。下ケース１Ｂは、内面に設けている支持リブ２５でＵ溝１５の開口部を閉塞し、あるいは、内面でＵ溝１５の開口部を閉塞する。この構造は、接点ユニット１０を上ケース１Ａに固定した後、下ケース１Ｂを上ケース１Ａに固定して、傾動体４を定位置に傾動できるように配置できる。
【００３２】
さらに、傾動アーム６は、一方の連結軸６Ｂを、表面プレート１１の内面に突出するように設けている連結リブ２０のＵ溝２１に案内し、他方の連結軸６Ｂを、周壁１２に設けた連結穴２３に回転できるように挿入して、ユニット台５に傾動できるように連結している。連結リブ２０のＵ溝２１は、傾動軸４Ｂを案内するＵ溝１５と同じように、その開口部に連結軸６Ｂの抜け止め突出部２２を設けて係止状態で連結している。この抜け止め突出部２２は、連結軸６ＢをＵ溝２１に挿入するときに弾性変形して連結軸６Ｂを通過させる。このＵ溝２１も、上ケース１Ａに下ケース１Ｂを連結する状態で、開口部は下ケース１Ｂの支持リブ２６で閉塞される。
【００３３】
以上のユニット台５は、傾動体４と傾動アーム６の両方を抜け止め突出部１６、２２でもって、外れないように連結できる。このため、接点ユニット１０を上ケース１Ａに連結するときに傾動体４と傾動アーム６の両方が外れることがなく、極めて能率よく接点ユニット１０を上ケース１Ａに連結できる。
【００３４】
さらに、図１０ないし図１２の表面プレート１１は、連結軸６Ｂの軸方向の位置ずれを阻止する対向リブ２４を一体的に成形して設けている。連結軸６Ｂは、対向リブ２４の内側でＵ溝２１に案内されて、回転できるように連結される。この構造のユニット台５は、連結軸６Ｂの軸方向の位置ずれを防止して、傾動アーム６を傾動できるように連結することができる。
【００３５】
以上の充電台は、以下の工程で組み立てられる。
（１）ユニット台５にスプリング線３を連結する。スプリング線３は、山形に折曲している端子部３ａをガイド穴６Ｅに挿入し、引掛片３Ｃを引掛部６Ｆに連結して、傾動アーム６の定位置に連結される。この状態で、スプリング線３はコイル部３Ｂを側壁部６Ｄの内側に配置して、連結軸６Ｂと同軸に配置させる。
（２）傾動アーム６をユニット台５に連結する。このとき、一方の連結軸６Ｂを周壁１２の連結穴２３に挿通し、他方の連結軸６Ｂを連結リブ２０に設けているＵ溝２１に案内する。このとき、連結軸６Ｂを強く押して抜け止め突出部２２を通過させてＵ溝２１の定位置に挿入する。
（３）傾動アーム６をセットする。傾動アーム６は、第１の突出片７Ａａをユニット台５の連結リブ１９に連結し、第２の突出片７Ａｂを押圧係止部６Ｇに連結する。
（４）傾動体４をユニット台５に連結する。傾動体４は、一方の傾動軸４Ｂを保持リブ１７に挿入し、他方の傾動軸４Ｂを支持リブ１４のＵ溝１５に案内して、抜け止め突出部１６を通過させて定位置に挿入してユニット台５に連結される。この状態で接点ユニット１０が組み立てられる。
（５）接点ユニット１０を上ケース１Ａの内面に固定する。接点ユニット１０は、ユニット台５に設けている固定部１３に止ネジ２７を貫通させて、これを上ケース１Ａの内面に設けている連結ボス２８にねじ込んで固定される。
（６）上ケース１Ａに下ケース１Ｂを固定する。
【００３６】
以上の状態で、接点ユニット１０がケース１の定位置に固定される。ケース１に固定された接点ユニット１０は、傾動スプリング７でもって、傾動アーム６を、端子部３ａを装着部２の内側に収納する方向に付勢する。この方向に付勢される傾動アーム６は、傾動体４の連結端４Ｃを押し下げて、突出部４Ａをケース１の装着部２に突出させる。
【００３７】
以上の状態で、ケース１の装着部２に携帯機器３０がセットされると、携帯機器３０が突出部４Ａを押し下げて、端子部３ａを装着部２に突出させる。装着部２に突出する端子部３ａは、携帯機器３０の電源端子３１を押圧して電気接続される。電源端子３１に接触する端子部３ａは、スプリング線３を介して携帯機器３０に内蔵される電池に充電電流を供給して、電池を充電する。
【００３８】
［第２の実施例］
図１６ないし図２３に示す充電台は、携帯機器８０を脱着できるように定位置にセットできる装着部５２を上面に設けているケース５１と、このケース５１内に設けられて、装着部５２にセットされる携帯機器８０の電源端子８１に接触される端子部５３ａを有する一対のスプリング線５３と、装着部５２に携帯機器８０がセットされる状態でスプリング線５３の端子部５３ａを装着部５２に突出させて、電源端子８１に接触させる傾動体５４と、この傾動体５４とスプリング線５３を連結しているユニット台５５とを備える。スプリング線５３と傾動体５４がユニット台５５に連結されて接点ユニット６０を構成している。この接点ユニット６０がケース５１に固定されて、スプリング線５３の端子部５３ａと傾動体５４の突出部５４Ａはケース５１の定位置に配置される。
【００３９】
この充電台は、ケース５１に設けた装着部５２の底面５２Ａに突出部５４Ａを突出させて、装着部５２の側壁部から端子部５３ａを内側に弾性的に突出させる。この充電台は、ケース５１の上面の両端縁に、係止フック７３を設けた一対の端部壁７１を設けて、端部壁７１の内側に携帯機器８０をセットしている。さらに、携帯機器８０の上側（図１６において右上側）に位置する側縁に沿って、言い換えると、装着部５２の上縁（図１６において右上縁）に沿って端子部５３ａを内蔵している端子壁７２を設けている。この図の装着部５２も、携帯電話等の携帯機器８０を横長の姿勢でセットする形状としている。携帯機器８０は、端部壁７１に設けた係止フック７３でもって、外れないように装着部５２にセットされる。
【００４０】
ケース５１は、下方を開口している上ケース５１Ａと、この上ケース５１Ａの下方開口部を閉塞している下ケース５１Ｂとからなる。上ケース５１Ａは、装着部５２の底面５２Ａに、傾動体５４の突出部５４Ａを装着部５２に突出させる貫通孔５９を開口して、端子壁７２の内側には、スプリング線５３の端子部５３ａを外部に突出させる端子窓５８を開口している。図の上ケース５１Ａも、第１の実施例と同様に、端子窓５８と貫通孔５９を各々２個設けている。
【００４１】
接点ユニット６０は、ユニット台５５と、これに傾動できるように連結している傾動体５４と、この傾動体５４で端子部５３ａをケース５１の装着部５２に突出させるスプリング線５３とで構成される。図１８ないし図２１の充電台は、プラス側とマイナス側のスプリング線５３を傾動体５４に連結している。さらに、図１９と図２０の接点ユニット６０は、傾動体５４を弾性的に傾動させる傾動スプリング５７を備える。傾動スプリング５  ７は、突出部５４Ａを装着部５２から弾性的に突出させる方向に付勢する。
【００４２】
傾動体５４は絶縁材のプラスチック製で、中央部に中空部を設けた四角形としている。この傾動体５４は、一方の端部に突出部５４Ａを設けて、突出部５４Ａと反対側の端部の両側に一対の傾動軸５４Ｂを設けている。一対の傾動軸５４Ｂは円柱状で、互いに直線上に配置される。傾動軸５４Ｂがユニット台５５に回転できるように連結されて、傾動体５４は傾動できるようにユニット台５５に連結される。突出部５４Ａは、上面に突出して設けられる。図の傾動体５４は、ふたつの突出部５４Ａを設けて、これをケース５１の装着部５２に突出させる。傾動体５４は、この突出部５４Ａが携帯機器８０に押されて傾動する。
【００４３】
傾動体５４は、傾動軸５４Ｂを設けている軸側の端部に、上方に突出するように一対のガイド溝５４Ｃを設けている。このガイド溝５４Ｃは、スプリング線５３の端子片５３Ａを案内して、端子部５３ａを装着部５２に突出させる。ガイド溝５４Ｃは、その底面を水平方向から垂直方向に湾曲して、下方と端部側を開口している。このガイド溝５４Ｃにスプリング線５３の折曲部５３ｂが案内される。スプリング線５３は、ガイド溝５４Ｃに案内している折曲部５３ｂで水平から上方に伸びる方向となって、端子壁７２の内部に端子部５３ａを配設する。傾動体５４が傾動すると、ガイド溝５４Ｃが傾動して、スプリング線５３の端子部５３ａを端子壁７２から突出させて携帯機器８０の電源端子８１に押圧する。
【００４４】
さらに、傾動体５４は、中央部に設けた中空部に突出するように、すなわち内側に突出するように、スプリング線５３のコイル部５３Ｂを挿入して連結する一対のスプリング連結軸５４Ｄを設けている。一対のスプリング連結軸５４Ｄは、傾動軸５４Ｂと平行な直線上に配置される。スプリング線５３は、コイル部５３Ｂをスプリング連結軸５４Ｄに挿入して、傾動体５４に連結される。傾動体５４の内側に設けている一対のスプリング連結軸５４Ｄには、プラス側とマイナス側のスプリング線５３のコイル部５３Ｂが挿入される。
【００４５】
さらに、傾動体５４は、中間の両側に突出して、傾動スプリング５７のコイル部５７Ｂに挿入される一対のコイル連結軸５４Ｅを設けている。一対のコイル連結軸５４Ｅは、傾動軸５４Ｂと平行な直線上に配置される。図の傾動スプリング５７は、両端の突出片５７Ａを傾動体５４に連結して、突出部５４Ａを弾性的に装着部５２に突出させる方向に付勢する。傾動スプリング５７は、中間をユニット台５５に連結している。図２０に示す傾動スプリング５７は、両端部に、互いに直線上に配置されるコイル部５７Ｂを設けているコイルスプリングである。両端のコイル部５７Ｂがコイル連結軸５４Ｅに挿入されて、傾動体５４に連結される。傾動スプリング５７は、両端の突出片５７Ａを傾動体５４の両側に設けた引掛部５４Ｆに係止して傾動体５４の下面に連結し、傾動体５４を下から上に押し上げて、突出部５４Ａを装着部５２の底面５２Ａから上方に弾性的に突出させる。傾動スプリング５７の両端部のコイル部５７Ｂを連結する連結部５７Ｃは、ユニット台５５に設けているストッパ片６９の上に係止している。この接点ユニット６０は、傾動スプリング５７を定位置に連結して、ケース５１に固定できる。ただし、傾動スプリングは、連結部を下ケースの底面に接触するように配置することもできる。
【００４６】
スプリング線５３を図２０に示す。このスプリング線５３は、中間をコイル状に巻いたコイルスプリングで、コイル部５３Ｂから接線方向に端子片５３Ａと引掛片５３Ｃとを突出させている。コイル部５３Ｂは、傾動体５４のスプリング連結軸５４Ｄに挿入されて、傾動体５４に連結される。端子片５３Ａは、引掛片５３Ｃよりも長く突出して、中間を水平から垂直方向に折曲して折曲部５３ｂとして、先端部を山形に折曲して端子部５３ａとしている。折曲部５３ｂがガイド溝５４Ｃに案内されて、端子部５３ａを端子壁７２の内部に配設している。端子片５３Ａは、図２３に示すように、山形の端子部５３ａを端子壁７２の側面に設けた端子窓５８から装着部５２の内側に向かって突出させる。ただし、図２２に示すように、傾動体５４の突出部５４Ａが装着部５２に突出する状態では、傾動体５４でもって端子壁７２の内部に収納される。図２３に示すように、突出部５４Ａが携帯機器８０で押し込まれて、傾動体５４が傾動すると、端子部５３ａが装着部５２に突出して、携帯機器８０の電源端子８１に接触される。電源端子８１を押圧する端子部５３ａは、電源端子８１で端子壁７２に向かって押し込まれる方向に移動される。このとき、折曲部５３ｂは、ガイド溝５４Ｃに沿って後方に移動して、コイル部５３Ｂの弾性で端子部５３ａを電源端子８１に押圧する。スプリング線５３の他方の端部の引掛片５３Ｃは、傾動体５４の下面に係止されて、その先端に充電回路（図示せず）に接続しているリード線７４をハンダ付けして連結している。
【００４７】
ユニット台５５は、図１８ないし図２０に示すように、プラスチックもって、傾動体５４の外周を囲む枠形状に成形している。傾動体５４は、ユニット台５５の内側で傾動されるので、ユニット台５５と傾動体５４との間に隙間を設けている。ユニット台５５は、これをケース５１の内面に固定して、接点ユニット６０をケース５１に固定するための固定部６３を設けている。図のユニット台５５は、外側に突出して、その対向する位置に固定部６３を設けている。
【００４８】
ユニット台５５は、傾動体５４の傾動軸５４Ｂを連結するＵ溝６５を下方に開口して設けている。図のユニット台５５は、下方に突出して支持リブ６４を一体的に成形して設けており、この支持リブ６４の下方を開口して、Ｕ溝６５を設けている。このＵ溝６５に傾動軸５４Ｂを挿入して、回転できるように、また外れないように傾動体５４をユニット台５５に連結する。Ｕ溝６５は、図１９に示すように、その開口部に傾動軸５４Ｂの抜け止め突出部６６を設けて係止状態で連結している。抜け止め突出部６６は、傾動軸５４ＢをＵ溝６５に挿入するときに弾性変形して傾動軸５４Ｂを通過させる。このユニット台５５は、抜け止め突出部６６でもって、傾動軸５４Ｂを外れないようにユニット台５５に連結できる。このため、接点ユニット６０を上ケース５１Ａに連結するときに傾動体５４が外れることがなく、能率よく接点ユニット６０を上ケース５１Ａに連結できる。上ケース５１Ａに下ケース５１Ｂを連結する状態で、Ｕ溝６５の開口部は下ケース５１Ｂで閉塞される。下ケース５１Ｂで閉塞されるＵ溝６５は、ここに案内している傾動軸５４Ｂを外れないように支持する。下ケース５１Ｂは、内面でＵ溝６５の開口部を閉塞し、あるいは内面に設けているリブ（図示せず）でＵ溝６５の開口部を閉塞する。この構造は、接点ユニット６０を上ケース５１Ａに固定した後、下ケース５１Ｂを上ケース５１Ａに固定して、傾動体５４を定位置に傾動できるように配置できる。
【００４９】
以上の充電台は、以下の工程で組み立てられる。
（１）傾動体５４にスプリング線５３を連結する。スプリング線５３は、コイル部５３Ｂをスプリング連結軸５４Ｄに挿入し、折曲部５３ｂをガイド溝５４Ｃに案内し、引掛片５３Ｃを傾動体５４の下面に係止して定位置に連結される。スプリング線５３は、引掛片５３Ｃの端部に、充電回路（図示せず）に接続しているリード線７４を連結している。
（２）傾動体５４に傾動スプリング５７を連結する。傾動スプリング５７は、コイル部５７Ｂをコイル連結軸５４Ｅに挿入し、両端の突出片５７Ａを傾動体５４の引掛部５４Ｆに係止して傾動体５４に連結する。
（３）傾動体５４をユニット台５５に連結する。傾動体５４は、傾動軸５４ＢをＵ溝６５に、抜け止め突出部６６を通過させて定位置に挿入してユニット台５５に連結される。傾動スプリング５７の連結部５７Ｃをユニット台５５のストッパ片６９の上面に係止して、傾動スプリング５７を傾動体５４とユニット台５５に連結する。
この状態で接点ユニット６０が組み立てられる。
（４）接点ユニット６０を上ケース５１Ａの内面に固定する。接点ユニット６０は、ユニット台５５に設けている固定部６３に止ネジ７７を貫通し、これを上ケース５１Ａの内面に設けている連結ボス７８にねじ込んで固定される。
（５）上ケース５１Ａに下ケース５１Ｂを固定する。
【００５０】
以上の状態で、接点ユニット６０がケース５１の定位置に固定される。ケース５１に固定された接点ユニット６０は、傾動スプリング５７でもって傾動体５４の突出部５４Ａを装着部５２に突出させる。この姿勢にある傾動体５４は、スプリング線５３の端子部５３ａを装着部５２の内側に収納する。
【００５１】
以上の状態で、ケース５１の装着部５２に携帯機器８０がセットされると、携帯機器８０が突出部５４Ａを押し下げて、端子部５３ａを端子壁７２から装着部５２に突出させる。装着部５２に突出する端子部５３ａは、携帯機器８０の電源端子８１に押圧されて電気接続される。電源端子８１に接触する端子部５３ａは、スプリング線５３を介して携帯機器８０に内蔵される電池に充電電流を供給して、電池を充電する。
【００５２】
［第３の実施例］
図２４ないし図２９に示す充電台は、携帯機器を脱着できるように定位置にセットできる装着部１０２を上面に設けているケース１０１と、このケース１０１内に設けられて、装着部１０２にセットされる携帯機器の電源端子に接触される端子部１０３ａを有する一対のスプリング線１０３と、装着部１０２に携帯機器がセットされる状態でスプリング線１０３の端子部１０３ａを装着部１０２に突出させて、電源端子に接触させる傾動体１０４と、この傾動体１０４とスプリング線１０３を連結しているユニット台１０５とを備える。スプリング線１０３と傾動体１０４がユニット台１０５に連結されて接点ユニット１１０を構成している。この接点ユニット１１０がケース１０１に固定されて、スプリング線１０３の端子部１０３ａと傾動体１０４の突出部１０４Ａはケース１０１の定位置に配置される。
【００５３】
この充電台は、ケース１０１の外形を、前述の第１の実施例と同じ形状として、ケース１０１の上面に装着部１０２を設けている。ケース１０１は、プラスチック製の上ケース１０１Ａと下ケース１０１Ｂとからなる。上ケース１０１Ａの上面に凹部を設けて装着部１０２としている。上ケース１０１Ａは、装着部１０２となる凹部の底面１０２Ａに、ケース１０１に内蔵しているスプリング線１０３の端子部１０３ａを外部に突出させる端子窓１０８と、傾動体１０４の突出部１０４Ａを装着部１０２に突出させる貫通孔１０９を開口している。図２４の上ケース１０１Ａは、ふたつの端子窓１０８とひとつの貫通孔１０９を設けている。ふたつの端子窓１０８は、正負の端子部１０３ａを装着部１０２に突出させる。また、貫通孔１０９は、傾動体１０４の一端に設けている突出部１０４Ａを装着部１０２に突出させる。
【００５４】
接点ユニット１１０は、ユニット台１０５と、これに傾動できるように連結している傾動体１０４と、この傾動体１０４で端子部１０３ａをケース１０１の装着部１０２に突出させるスプリング線１０３とで構成される。図２４ないし図２９の充電台は、プラス側とマイナス側のスプリング線１０３を傾動体１０４に連結している。さらに、図２５ないし図２８の接点ユニット１１０は、詳細には後述するが、傾動体１０４を弾性的に傾動させる傾動スプリングを、スプリング線１０３と一体構造としている。すなわち、スプリング線１０３でもって、傾動体１０４の突出部１０４Ａを装着部１０２から弾性的に突出させる方向に付勢している。
【００５５】
傾動体１０４は絶縁材のプラスチック製で、中間の両側に、一対の傾動軸１０４Ｂを外側に突出するように一体的に成形して設けると共に、第１の端部に、装着部１０２に突出する突出部１０４Ａを設けて、反対側の第２の端部に、一対のスプリング線１０３の端子片１０３Ａを案内するガイド部１０４Ｃを設けている。図の傾動体１０４は、両側縁に沿って下方に突出する側壁１０４Ｆを設けており、この側壁１０４Ｆの下端に傾動軸１０４Ｂを一体的に成形している。一対の傾動軸１０４Ｂは円柱状で、互いに直線上に配置されている。この傾動体１０４は、傾動軸１０４Ｂがユニット台１０５に回転できるように連結されて、ユニット台１０５に傾動できるように連結される。さらに、傾動体１０４は、第１の端部に、上面に突出するように突出部１０４Ａを一体的に成形して設けている。傾動体１０４は、装着部１０２に突出する突出部１０４Ａが携帯機器に押されて傾動する。さらに、傾動体１０４は、突出部４Ａを設けた第１の端部と反対側の第２の端部に、両側に突出する突出片１０４Ｄを設けて、この突出片１０４Ｄの先端部を水平方向から下方に垂直に折曲して折曲部１０４Ｅとし、この折曲部１０４Ｅの内側にガイド部１０４Ｃを設けている。このガイド部１０４Ｃは、スプリング線１０３の直線部１０３ｂを案内している。傾動体１０４が傾動すると、ガイド部１０４Ｃが傾動して、スプリング線１０３の端子部１０３ａを端子窓１０８から突出させて携帯機器の電源端子に押圧する。
【００５６】
スプリング線１０３を図２７と図２８に示す。図のスプリング線１０３は、導電性と弾性のある１本の金属線を加工したもので、携帯機器の電源端子に接触する端子部１０３ａと、傾動体１０４の突出部１０４Ａを装着部１０２に弾性的に突出させる傾動スプリングの機能とを備えている。このスプリング線１０３は、中間に一対のコイル部１０３Ｂを有するコイルスプリングで、コイル部１０３Ｂからそれぞれ反対方向に、端子部１０３ａを備える端子片１０３Ａと、傾動体１０４を弾性的に傾動させる傾動片１０３Ｃとを突出させている。
【００５７】
コイル部１０３Ｂは、互いに直線上に配置される第１のコイル部１０３ｃと第２のコイル部１０３ｄとを備える。第１のコイル部１０３ｃは、端子部１０３ａが携帯機器の電源端子を弾性的に押圧する方向に、端子片１０３Ａを付勢している。また、第１のコイル部１０３ｃと第２のコイル部１０３ｄは、傾動体１０４が突出片１０４Ａを弾性的に突出させる方向に、傾動片１０３Ｃを付勢している。一対のスプリング線３は、各々の第１のコイル部１０３ｃを傾動体１０４の両側の傾動軸１０４Ｂに挿通すると共に、第２のコイル部１０３ｄを対向する側壁１０４Ｆの内側に配置する状態で傾動体１０４に連結している。対向する側壁１０４Ｆの内側に配置される第２のコイル部１０３ｄ同士が接触してショートするのを阻止するために、傾動体１０４は、下面の中央に突出して、第２のコイル部１０３ｄを隔離する隔壁１０４Ｇを設けている。
【００５８】
端子片１０３Ａは、第１のコイル部１０３ｃから接線方向に突出しており、先端部を山形に折曲して端子部１０３ａとしている。端子片１０３Ａは、図において傾動体１０４の第２の端部側に突出しており、端子部１０３ａとコイル部１０３Ｂの間の直線部１０３ｂを傾動体１０４の突出片１０４Ｄの下面に配置して、端子部１０３ａを上方に突出させている。端子片１０３Ａは、端子部１０３ａを端子窓１０８から装着部１０２の内側に向かって突出させる。ただし、傾動体１０４の突出部１０４Ａが装着部１０２に突出する状態では、傾動体１０４でもってケース１０１の内部に収納される。装着部１０２に携帯機器がセットされて、突出部１０４Ａが押し込まれて傾動体１０４が傾動すると、端子部１０３ａが装着部１０２に突出して、携帯機器の電源端子に接触する。電源端子を押圧する端子部１０３ａは、電源端子でケース１０内に押し込まれる方向に移動される。このとき、直線部１０３ｂは、ガイド部１０４Ｃに沿って下方に移動して、第１のコイル部１０３ｃの弾性で端子部１０３ａを電源端子に押圧する。第１のコイル部１０３ｃの弾性で端子部１０３ａを電源端子に押圧するために、スプリング線１０３は、第１のコイル部１０３ｃの反対側に突出する傾動片１０３Ｃを、傾動体１０４の第１の端部に連結している。
【００５９】
傾動片１０３Ｃは、一対のコイル部１０３Ｂである第１のコイル部１０３ｃと第２のコイル部１０３ｄからそれぞれ突出する直線部１０３ｅ、１０３ｅを連結部１０３ｆで連結してなる矩形状としている。この傾動片１０３Ｃは、対向する直線部１０３ｅの間を挿入隙間１０３ｇとして、この挿入隙間１０３ｇに傾動体１０４の側壁１０４Ｆを挿入している。この構造は、側壁１０４Ｆの両面を一対の直線部１０３ｅで保持しながら、先端の連結部１０３ｆで、側壁１０４Ｆの先端部の下面、すなわち第１の端部側の下面を支持して、傾動片１０３Ｃで傾動体１０４を確実に付勢できる。このスプリング線１０３は、第１のコイル部１０３ｃと第２のコイル部１０３ｄの弾性でもって、傾動片１０３Ｃを介して傾動体１０４を押圧して、傾動体１０４の突出部１０４Ａが装着部１０２に突出するように付勢している。
【００６０】
さらに、スプリング線１０３は、第２のコイル部１０３ｄから、直線部１０３ｅと反対側に突出する接続部１０３Ｄを、ユニット台１０５に設けた貫通孔１１９に挿入している。この接続部１０３Ｄは、図示しないが、ユニット台１０５の下面において、充電回路（図示せず）に接続しているリード線（図示せず）にハンダ付けして接続される。
【００６１】
ユニット台１０５は、傾動体１０４の外形よりも大きなプレート状にプラスチックで成形している。ユニット台１０５は、傾動体１０４の傾動軸１０４Ｂを連結するＵ溝１１５を、両側部の上方に開口して設けている。図のユニット台１０５は、中央部の両側において、それぞれ一対の支持リブ１１４を上方に突出して一体的に成形して設けており、一対の支持リブの対向面に凹部を設けて、互いに対向する凹部でもって、上方開口のＵ溝１１５を設けている。ユニット台１０５は、このＵ溝１１５に傾動軸１０４Ｂを挿入して、回転できるように、また外れないように傾動体１０４を連結する。Ｕ溝１１５は、図２５ないし図２７に示すように、その開口部に傾動軸１０４Ｂの抜け止め突出部１１６を設けて係止状態で連結している。一対の支持リブ１１４は、傾動軸１０４ＢをＵ溝１１５に挿入するときに弾性変形して、抜け止め突出部１１６を通過させて、傾動軸１０４ＢをＵ溝１１５に挿入する。このユニット台１０５は、抜け止め突出部１１６でもって、傾動軸１０４Ｂを外れないようにユニット台１０５に連結できる。このため、接点ユニット１１０をケース１０１に連結するときに傾動体１０４が外れることがなく、能率よく接点ユニット１１０をケース１０１に連結できる。
【００６２】
ユニット台１０５は、これをケース１０１の内面に固定して、接点ユニット１１０がケース１０１に固定される。図の接点ユニット１１０は、上ケース１０１Ａに固定している。接点ユニット１１０を上ケース１０１Ａに連結する状態で、Ｕ溝１１５の開口部は上ケース１０１Ｂで閉塞される。上ケース１０１Ａで閉塞されるＵ溝１１５は、ここに案内している傾動軸１０４Ｂを外れないように支持する。上ケース１０１Ａは、内面でＵ溝１１５の開口部を閉塞し、あるいは内面に設けているリブ（図示せず）でＵ溝１１５の開口部を閉塞する。この構造は、接点ユニット１１０を上ケース１０１Ａに固定した後、下ケース１０１Ｂを上ケース１０１Ａに固定して、傾動体１０４を定位置に傾動できるように配置できる。
【００６３】
図２９の接点ユニット１１０は、係止構造で上ケース１０１Ａの内面に固定している。接点ユニット１１０を上ケース１０１Ａの定位置に固定するために、図の上ケース１０Ａは、内面に突出する複数の連結リブ１２７と係止フック１２８を一体的に成形している。図の上ケース１０１Ａは、接点ユニット１１０の両側部であって、傾動軸１０４Ｂの両側に位置して、それぞれ２個ずつ、全体で４個の連結リブ１２７を設けている。この連結リブ１２７は、中央に突出する段差凸部１２７Ａを設けており、この段差凸部１２７Ａをユニット台１０５に設けた嵌入部１１７に嵌入して定位置に位置決めしている。このように、段差凸部１２７Ａを有する連結リブ１２７は、段差部でユニット台１０５と上ケース１０１Ａとの間隔を特定できる。したがって、接点ユニット１１０を上ケース１０１に固定する状態で、ユニット台１０５と上ケース１０１Ａの間に、傾動体１０４を傾動させる隙間を設けることができる。係止フック１２８は、接点ユニット１１０の両端部であって、傾動体１０４の前後に対向する位置に設けている。対向する係止フック１２８は、先端部にフック部１２８Ａを備えており、このフック部１２８Ａをユニット台１０５の対向縁に設けた係止部１１８に係止して外れないように連結している。以上の接点ユニット１１０は、係止構造で上ケース１０１Ａに簡単かつ容易に連結して固定できる。ただ、接点ユニットは、他の係止構造で上ケースに連結することも、ネジ止等の方法で上ケースに連結することもできる。
【００６４】
以上の充電台は、以下の工程で組み立てられる。
（１）傾動体１０４に一対のスプリング線１０３を連結する。スプリング線１０３は、第１のコイル部１０３ｃを傾動軸１０４Ｂに挿入し、端子片１０３Ａの直線部１０３ｂをガイド部１０４Ｃに案内し、さらに、第２のコイル部１０３ｄを対向する側壁１０４Ｆの間に配置すると共に、傾動片１０３Ｃの挿入隙間１０３ｇに傾動体１０４の側壁１０４Ｆを案内して、傾動体１０４の定位置に連結される。
（２）傾動体１０４をユニット台１０５に連結する。傾動体１０４は、傾動軸１０４ＢをＵ溝１１５に、抜け止め突出部１１６を通過させて挿入してユニット台１０５に連結される。さらに、このとき、スプリング線１０３の接続部１０３Ｄをユニット台１０５の貫通孔１１９に貫通させて、ユニット台１０５の下面において、接続部１０３Ｄの先端に、充電回路（図示せず）に接続しているリード線（図示せず）を接続する。
この状態で接点ユニット１１０が組み立てられる。
（３）接点ユニット１１０を上ケース１０１Ａの内面に固定する。接点ユニット１１０は、上ケース１０１Ａに設けた連結リブ１２７の段差凸部１２７Ａを、ユニット台１０５の嵌入部１１７に嵌入すると共に、上ケース１０１Ａに設けた係止フック１２８をユニット台１０５の対向する端縁に設けた係止凹部１１８に係止して係止構造で定位置に固定される。
（４）上ケース１０１Ａに下ケース１０１Ｂを固定する。
【００６５】
以上の状態で、接点ユニット１１０がケース１０１の定位置に固定される。ケース１０１に固定された接点ユニット１１０は、スプリング線１０３の傾動片１０３Ｃに付勢されて、傾動体１０４の突出部１０４Ａを装着部１０２に突出させる。この姿勢にある傾動体１０４は、スプリング線１０３の端子部１０３ａを装着部１０２の内側に収納する。
【００６６】
以上の状態で、ケース１０１の装着部１０２に携帯機器がセットされると、携帯機器が突出部１０４Ａを押し下げて、端子部１０３ａを装着部１０２に突出させる。装着部１０２に突出する端子部１０３ａは、携帯機器の電源端子を押圧して電気接続される。電源端子に接触する端子部１０３ａは、スプリング線１０３を介して携帯機器に内蔵される電池に充電電流を供給して、電池を充電する。
【図面の簡単な説明】
【００６７】
【図１】従来の充電台の斜視図である。
【図２】図１に示す充電台の装着検知部の斜視図である。
【図３】図１に示す充電台の垂直縦断面図である。
【図４】図３に示す充電台に携帯機器を装着する状態を示す断面図である。
【図５】図３に示す充電台に携帯機器を装着した状態を示す断面図である。
【図６】本発明の第１の実施例にかかる充電台の斜視図である。
【図７】図６に示す充電台の分解斜視図である。
【図８】図７に示す充電台の接点ユニットの斜視図である。
【図９】図８に示す接点ユニットが端子部を上昇させる状態を示す斜視図である。
【図１０】図８に示す接点ユニットの底面斜視図である。
【図１１】図１０に示す接点ユニットの背面斜視図である。
【図１２】図１１に示す接点ユニットの一部拡大分解斜視図である。
【図１３】図７に示す接点ユニットの平面図である。
【図１４】図１に示す充電台に携帯機器をセットする状態を示す断面図である。
【図１５】図１４に示す充電台に携帯機器をセットした状態を示す断面図である。
【図１６】本発明の第２の実施例にかかる充電台の斜視図である。
【図１７】図１６に示す充電台の分解斜視図である。
【図１８】図１７に示す充電台の接点ユニットの斜視図である。
【図１９】図１８に示す接点ユニットを底面から見た分解斜視図である。
【図２０】図１８に示す接点ユニットを背面から見た分解斜視図である。
【図２１】接点ユニットを上ケースに固定した状態を示す底面斜視図である。
【図２２】図１６に示す充電台のＡ−Ａ線断面図である。
【図２３】図２２に示す充電台に携帯機器をセットした状態を示す断面図である。
【図２４】本発明の第３の実施例にかかる充電台の分解斜視図である。
【図２５】図２４に示す充電台の接点ユニットの斜視図である。
【図２６】図２５に示す接点ユニットが端子部を上昇させる状態を示す斜視図である。
【図２７】図２５に示す接点ユニットの分解斜視図である。
【図２８】図２７に示す接点ユニットの傾動体とスプリング線の底面斜視図である。
【図２９】接点ユニットを上ケースに固定する状態を示す底面斜視図である。
【符号の説明】
【００６８】
１…ケース                  １Ａ…上ケース
１Ｂ…下ケース
２…装着部                  ２Ａ…底面
３…スプリング線            ３Ａ…端子片
３ａ…端子部
３ｂ…直線部
３Ｂ…コイル部
３Ｃ…引掛片
４…傾動体                  ４Ａ…突出部
４Ｂ…傾動軸
４Ｃ…連結端
５…ユニット台
６…傾動アーム              ６Ａ…上面プレート
６Ｂ…連結軸
６Ｃ…対向端部
６Ｄ…側壁部
６Ｅ…ガイド穴
６Ｆ…引掛部
６Ｇ…押圧係止部
７…傾動スプリング          ７Ａ…突出片
７Ａａ…第１の突出片
７Ａｂ…第２の突出片
７Ｂ…コイル部
８…端子窓
９…貫通孔
１０…接点ユニット
１１…表面プレート          １１Ａ…傾動体開口部
１１Ｂ…アーム開口部
１２…周壁
１３…固定部
１４…支持リブ
１５…Ｕ溝
１６…抜け止め突出部
１７…保持リブ              １７Ａ…閉塞プレート
１８…対向リブ
１９…連結リブ
２０…連結リブ
２１…Ｕ溝
２２…抜け止め突出部
２３…連結穴
２４…対向リブ
２５…支持リブ
２６…支持リブ
２７…止ネジ
２８…連結ボス
２９…回転中心軸            ２９Ｘ…第１の回転中心軸
２９Ｙ…第２の回転中心軸
３０…携帯機器
３１…電源端子
５１…ケース                ５１Ａ…上ケース
５１Ｂ…下ケース
５２…装着部                ５２Ａ…底面
５３…スプリング線          ５３Ａ…端子片
５３ａ…端子部
５３ｂ…折曲部
５３Ｂ…コイル部
５３Ｃ…引掛片
５４…傾動体                ５４Ａ…突出部
５４Ｂ…傾動軸
５４Ｃ…ガイド溝
５４Ｄ…スプリング連結軸
５４Ｅ…コイル連結軸
５４Ｆ…引掛部
５５…ユニット台
５７…傾動スプリング        ５７Ａ…突出片
５７Ｂ…コイル部
５７Ｃ…連結部
５８…端子窓
５９…貫通孔
６０…接点ユニット
６３…固定部
６４…支持リブ
６５…Ｕ溝
６６…抜け止め突出部
６９…ストッパ片
７１…端部壁
７２…端子壁
７３…係止フック
７４…リード線
７７…止ネジ
７８…連結ボス
８０…携帯機器
８１…電源端子
９０…装着検知部
９１…ケース
９２…装着部
９３…スプリング線          ９３Ａ…出力端子部
９４…傾動体
９５…端子窓
９６…貫通孔
９７…突出部
９９…携帯機器              ９９Ａ…電源端子
１０１…ケース              １０１Ａ…上ケース
１０１Ｂ…下ケース
１０２…装着部              １０２Ａ…底面
１０３…スプリング線        １０３Ａ…端子片
１０３ａ…端子部
１０３ｂ…直線部
１０３Ｂ…コイル部
１０３ｃ…第１のコイル部
１０３ｄ…第２のコイル部
１０３Ｃ…傾動片
１０３ｅ…直線部
１０３ｆ…連結部
１０３ｇ…挿入隙間
１０３Ｄ…接続部
１０４…傾動体              １０４Ａ…突出部
１０４Ｂ…傾動軸
１０４Ｃ…ガイド部
１０４Ｄ…突出片
１０４Ｅ…折曲部
１０４Ｆ…側壁
１０４Ｇ…隔壁
１０５…ユニット台
１０８…端子窓
１０９…貫通孔
１１０…接点ユニット
１１４…支持リブ
１１５…Ｕ溝
１１６…抜け止め突出部
１１７…嵌入部
１１８…係止凹部
１１９…貫通孔
１２７…連結リブ            １２７Ａ…段差凸部
１２８…係止フック          １２８Ａ…フック部
【図１】
2010045882.tif 000003
【図２】
2010045882.tif 000004
【図３】
2010045882.tif 000005
【図４】
2010045882.tif 000006
【図５】
2010045882.tif 000007
【図６】
2010045882.tif 000008
【図７】
2010045882.tif 000009
【図８】
2010045882.tif 000010
【図９】
2010045882.tif 000011
【図１０】
2010045882.tif 000012
【図１１】
2010045882.tif 000013
【図１２】
2010045882.tif 000014
【図１３】
2010045882.tif 000015
【図１４】
2010045882.tif 000016
【図１５】
2010045882.tif 000017
【図１６】
2010045882.tif 000018
【図１７】
2010045882.tif 000019
【図１８】
2010045882.tif 000020
【図１９】
2010045882.tif 000021
【図２０】
2010045882.tif 000022
【図２１】
2010045882.tif 000023
【図２２】
2010045882.tif 000024
【図２３】
2010045882.tif 000025
【図２４】
2010045882.tif 000026
【図２５】
2010045882.tif 000027
【図２６】
2010045882.tif 000028
【図２７】
2010045882.tif 000029
【図２８】
2010045882.tif 000030
【図２９】
2010045882.tif 000031